(57)【要約】  【課題】表示パネルとスキャナとが装備されていても装置全体が大型化せず、良好な機動性を得ることができ、しかも記憶容量が不足した場合であっても簡単に対応することができて、取扱性の良い携帯型情報端末装置を提供する。  【解決手段】ＬＣＤ表示部２にスキャナ機能を備える受光素子で構成された光電変換部２２を設け、又記録媒体として交換可能な不揮発性メモリ６を採用する。光電変換部２２をＬＣＤ表示部２に設けたので装置全体の小型軽量化が実現できる。又記録媒体として交換可能な不揮発性メモリ６を採用したので、記憶容量が不足した場合であっても不揮発性メモリ６を交換することで簡単に対応することができる。【選択図】図２
2005197841.tif 000002
【特許請求の範囲】
【請求項１】
情報を表示する表示手段と、
画像情報を取り込むスキャニング手段と、
情報を記録する記録媒体と
を備えた携帯型情報端末装置において、
上記表示手段に上記スキャニング手段が組み込まれていることを特徴とする携帯型情報端末装置。
【請求項２】
上記スキャニング手段が、上記表示手段に対してドット状に配設した複数の受光素子で構成されていることを特徴とする請求項１記載の携帯型情報端末装置。
【請求項３】
上記記録媒体は交換可能な不揮発性メモリであることを特徴とする請求項１或いは２記載の携帯型情報端末装置。
【請求項４】
上記記録媒体は交換可能な小型ハードディスクであることを特徴とする請求項１或いは２記載の携帯型情報端末装置。
【請求項５】
上記表示手段にタッチパネルが配設されていることを特徴とする請求項１〜４の何れかに記載の携帯型小型端末装置。
【発明の詳細な説明】
【技術分野】
【０００１】
本発明は、情報を表示する機能と画像情報を取り込む機能との双方を備えた携帯型情報端末装置に関する。
【背景技術】
【０００２】
ＰＤＡ(Personal Digital Assistance)等の携帯型情報端末装置はビジネス手帳等の代用として広く普及しつつある。携帯型情報端末装置は、例えば、会議や打ち合わせに出席するに際し、ノートや手帳等の紙媒体を持たずに携帯型情報端末装置を持ち込み、会議等の内容を直接、携帯型情報端末装置に入力しデータとして保存したり、携帯型情報端末装置に自己のスケジュールを入力してスケジュール管理をすることが可能である。
【０００３】
一方、会議や打ち合わせにおいて、初対面の相手とは名刺を交換することが習慣化されており、従って、携帯型情報端末装置に、名刺に記載されているデータを記録できる機能が備えられていれば、より一層便利である。
【０００４】
そのため、例えば、特開平４−３７２０６４号公報には、メモリに記憶されているデータを表示するＬＣＤ (Liquid Crystal Display)表示パネルと名刺用スキャナとを備え、名刺用スキャナにて名刺を画情報として取り込み記憶し、必要なときに読出してＬＣＤ表示パネルに表示させるようにした携帯型情報端末装置が開示されている。
【０００５】
すなわち、この先行技術に開示されている名刺用スキャナは、名刺を照明する光源、名刺からの反射光を受光して電気信号に変換する光電変換部、光電変換された名刺情報を画像データとして取り込む画像データ処理部を有しており、装置本体には、名刺用スキャナで読込んだ名刺の画像データを記憶する名刺用メモリが備えられている。又、ＣＰＵは、名刺情報検索手段として、名刺用メモリに記憶されている各名刺の画像データを検索し、ＬＣＤ表示パネルに表示させる機能を有している。
【特許文献１】特開平４−３７２０６４号公報
【発明の開示】
【発明が解決しようとする課題】
【０００６】
しかし、上述した従来の携帯型情報端末装置は、名刺用スキャナがＬＣＤ表示装置と別体に設けられているため、装置全体が大型化し、機動性が損なわれる問題がある。
【０００７】
又、名刺用メモリが内蔵型であるため、空き容量か不足した場合、既存の画像データを削除して、空き容量を確保する必要があり、空き容量を気にしながらデータを保存しなければならないため取扱性が悪い。
【０００８】
本発明は、上記事情に鑑み、表示パネルとスキャナとが装備されていても装置全体が大型化せず、良好な機動性を得ることができ、しかも、記憶容量が不足した場合であっても既存のデータを削除することなく、簡単に対応することができて、取扱性の良い携帯型情報端末装置を提供することを目的とする。
【課題を解決するための手段】
【０００９】
上記目的を達成するため本発明は、情報を表示する表示手段と、画像情報を取り込むスキャニング手段と、情報を記録する記録媒体とを備えた携帯型情報端末装置において、上記表示手段に上記スキャニング手段が組み込まれていることを特徴とする。
【００１０】
このような構成では、表示手段にスキャニング手段を組み込むことで、装置全体の小型軽量化を実現できる。
【００１１】
又、上記スキャニング手段を、上記表示手段に対してドット状に配設した複数の受光素子で構成することで、表示部をより薄型にすることができる。
【００１２】
又、上記記録媒体は交換可能な不揮発性メモリであると良い。記録媒体を交換可能な不揮発性メモリとすることで、衝撃、振動に対する信頼性を向上させることができる。
【００１３】
又、上記記録媒体は交換可能な小型ハードディスクであると良い。記録媒体を交換可能な小型ハードディスクとすることで、より大きな記憶容量を確保することができる。
【００１４】
又、上記表示手段にタッチパネルを配設することで、装置本体側に操作部を設ける必要がなくなり、その分、相対的に表示部の大型化が可能となり、或いは装置全体の小型化を実現することができる。
【発明の効果】
【００１５】
本発明によれば、表示パネルとスキャナとが装備されていても装置全体が大型化せず、良好な機動性を得ることができ、しかも、記憶容量が不足した場合であっても既存のデータを削除することなく、簡単に対応することができて、取扱性が良い。
【発明を実施するための最良の形態】
【００１６】
以下、図面に基づいて本発明の一形態を説明する。図１〜図４に本発明の第１形態を示す。図１には携帯情報端末装置の外観図が示されている。
【００１７】
携帯型情報端末装置１はバッテリを内蔵するＰＤＡ等のモバイル機器であり、使用者が片手で保持できる程度の大きさを有している。携帯型情報端末装置１の前面には、情報入出力部としてのスキャナ付きＬＣＤ表示部２、及び、電源スイッチ、キースイッチ等を所定に配設する操作部３等が設けられている。ＬＣＤ表示部２は前面の２／３以上を締めており、少なくとも名刺全体を載置できるだけの大きさを有している。
【００１８】
図２に携帯型情報端末装置１の基本構成を示す。携帯型情報端末装置１は演算部４を備えている。又、図３に示すように、演算部４はシステム全体を制御するＣＰＵ４ａを主体に構成されている。
【００１９】
ＣＰＵ４ａには、ＬＣＤ出力インターフェイス及びスキャナ入力インターフェイスを兼用する入出力インターフェイス１２、操作部入力インターフェイス１３、主記憶装置入出力インターフェイス１４、ストレージ入出力コントローラ１５、ネットワークインターフェイス１６がバスライン１２ａ〜１６ａを介して互いに接続されている。更に、主記憶装置入出力インターフェイス１４とストレージ入出力コントローラ１５とがＤＭＡ(Direct Memory Access)バス１７を介して直接接続されており、ＣＰＵ４ａを介さずに直接データ転送が可能となっている。
【００２０】
又、図２に示すように、演算部４に設けた各インターフェイス１２〜１４に、上述したスキャナ付きＬＣＤ表示部２と、操作部３と、システムを制御するプログラム、辞書ファイル等を記憶するＲＯＭ及び演算データを一次的に記憶するＲＡＭ等で構成する内蔵型の主記憶装置５とが接続されていると共に、ストレージ入出力コントローラ１５に、ＭＤ(Mini Disc)、ＳＤ(Secure digital)カード等、交換可能な記録媒体としての不揮発性メモリ６が着脱自在に接続される。尚、本形態による携帯型情報端末装置１は、ネットワークインターフェイス１６を介して、ネットワーク回線に無線或いは有線で接続することで、他のプロトコルと間で、データの共有や送受信を行うことができる。
【００２１】
又、図４にスキャナ付きＬＣＤ表示部２の機能構成を示す。スキャナ付きＬＣＤ表示部２には、表示手段としての液晶表示部２１と、スキャニング手段としての光電変換部２２と、画像データ処理部２３とが備えられている。
【００２２】
液晶表示部２１は、透明電極を形成した２枚の透明基板の間に液晶を封入したＴＦＴ(Thin Film Transistor)液晶パネルで構成されており、ＣＰＵ４ａからの表示駆動信号によって、各種の情報を表示する。
【００２３】
光電変換部２２は、液晶パネルの全面にわたって所定間隔毎にドット状に配設された、フォトダイオードを代表とする受光素子で構成されている。
【００２４】
画像データ処理部２３は、受光素子で光電変換された情報を、例えば２値化処理により画像データに変換して演算部４へ出力する。
【００２５】
ＣＰＵ４ａは、取り込まれた画像データを不揮発性メモリ６に書込んで保存する。
【００２６】
次に、このような構成による本形態の作用について説明する。
【００２７】
操作者が、携帯型情報端末装置１の操作部３に設けられているキースイッチを操作して、文字データを入力すると、その文字データが操作部入力インターフェイス１３を介してＣＰＵ４ａに入力される。ＣＰＵ４ａはＲＯＭに格納されている辞書ファイルを検索して対応する文字を入出力インターフェイス１２のＬＣＤ出力インターフェイスからＬＣＤ表示部２へ出力して表示させる。
【００２８】
一方、名刺等の紙媒体をスキャニングする場合は、スキャニングしたい紙媒体をＬＣＤ表示部２上にセットする。次いで、操作部３に設けられているキースイッチを操作してスキャニングを開始する。すると、ＬＣＤ表示部２に設けられている、多数の受光素子で構成された光電変換部２２で、紙媒体に記載されている情報が光電変換され、画像データ処理部２３で２値化処理等により画像データに変換されて、演算部４へ出力される。
【００２９】
演算部４では、入力された画像データをＬＣＤ表示部２に表示する。操作者は、表示された紙媒体の画像データを認識し、コメントを加える等の編集を必要とする場合は、操作部３に設けられているキースイッチを操作して所定に編集する。その後、登録する場合はファイル名を記入し、操作部３に設けられている「ENTER」キー等の実行キーをＯＮする。
【００３０】
すると、今回読み込んだ紙媒体に対応する画像データが不揮発性メモリ６に書込まれて保存される。尚、ファイルを保存するに際しては作成時刻、最終処理時刻が自動的に入力される。
【００３１】
この場合、携帯型情報端末装置１に文字認識プログラムが登録されている場合は、画像データから文字変換して、より扱いやすい電子データ（テキストデータ、ＰＤＦ(Portable Document Format)形式のデータ等）に変換して保存することができる。
【００３２】
又、不揮発性メモリ６に記録されている電子ファイルは、登録されている名所、作成時刻、最終処理時刻、コメント等で分類とて管理される。
【００３３】
ところで、紙媒体をスキャニング中は、ＬＣＤ表示部２が紙媒体で隠蔽されているため、読み込み完了時期、或いは読み込みエラーの各情報を、ＬＣＤ表示部２から得ることができない。そのため、本形態では、携帯型情報端末装置１に、ＬＥＤや、スピーカ或いはブザー、バイブレーション機構を備え、ＬＥＤの点滅間隔、スピーカから発せられる音声、ブザー音の間隔、バイブレーション動作又はその間隔で、読み込み完了及び読み込みエラーを作業者に知らせるようにしている。
【００３４】
このように、本形態は、ＬＣＤ表示部２に、受光素子を多数配列してスキャナとしての機能を有する光電変換部２２を配設したので、部品点数を減少させて、携帯型情報端末装置１の小型、軽量化が実現でき、機動性をより高めることができる。
【００３５】
又、不揮発性メモリ６は取り外し自在であるため、容量が不足した場合は、新たな不揮発性メモリ６と交換することで簡単に対応することができる。更に、不揮発性メモリ６に記録されているデータを、パーソナルコンピュータ等の他の機器に簡単にコピー及び移動させることができる。
【００３６】
又、より容量の大きな不揮発性メモリ６を装着することも可能であるため、不揮発性メモリ６の空き容量を気にすることなく、比較的容量の大きな画像データであっても容易に保存することができ、取扱性が良い。更に、不揮発性メモリ６を採用することで、衝撃、振動に対する信頼性も向上する。
【００３７】
尚、ＬＣＤ表示部２のスキャニング対象となる媒体は、紙媒体に限らず、バーコードや指紋等を利用した認証も可能であり、認証機能を備えることで、携帯型情報端末装置１単体で、セキュリティを設定が可能となる。
【００３８】
又、図５に本発明の第２形態による図２相当の機能ブロック図を示す。上述した第１形態では、交換可能な記録媒体として不揮発性メモリ６を採用したが、本形態では小型ハードディスク７を交換可能な記録媒体として採用したものである。
【００３９】
交換可能な記録媒体として小型ハードディスク７を採用することで、より大きな記録容量を確保することができる。
【００４０】
尚、この場合、無操作時間を計時し、所定時間が経過したとき小型ハードディスク７の駆動を省電力モードに自動的に切換えるような機能を備えておけば、長時間の使用が可能となる。
【００４１】
又、図６に本発明の第３形態による図２相当の機能ブロック図を示す。上述した第１形態では携帯型情報端末装置１に操作部３が設けられているが、本形態では、ＬＣＤ表示部２上にタッチパネル８を配設して、操作部３を廃止したものである。
【００４２】
タッチパネル８は、画面上に表示された文字等を指或いはスタイラスペン等で触れることで、データ入力を行うもので有り、操作部３に設けられているキースイッチの操作と同等の操作を行うことができる。
【００４３】
本形態では、操作部３に変えてタッチパネル８を採用したことにより、第１形態の携帯型情報端末装置１と装置のサイズが同一である場合は、ＬＣＤ表示部２の表示面を相対的に大きくすることができる。一方、ＬＣＤ表示部２の表示面が第１形態の携帯型情報端末装置１の表示面と同一の場合は、装置のサイズを相対的に小さくすることができる。
【図面の簡単な説明】
【００４４】
【図１】第１形態による携帯情報端末装置の外観図
【図２】同、携帯型情報端末装置の基本構成を示す機能ブロック図
【図３】同、演算部の構成を示す説明図
【図４】同、スキャナ付きＬＣＤ表示部の構成を示す機能ブロック図
【図５】第２形態による図２相当の機能ブロック図
【図６】第３形態による図２相当の機能ブロック図
【符号の説明】
【００４５】
１  携帯型情報端末装置
２  表示部
３  操作部
４  演算部
５  主記憶装置
６  不揮発性メモリ
７  小型ハードディスク
８  タッチパネル
１２  入出力インターフェイス
１２ａ〜１６ａ  バスライン
１３  操作部入力インターフェイス
１４  主記憶装置入出力インターフェイス
１５  ストレージ入出力コントローラ
１６  ネットワークインターフェイス
１７  ＤＭＡバス
２１  液晶表示部
２２  光電変換部
２３  画像データ処理部
代理人    弁理士    伊  藤    進
【図１】
2005197841.tif 000003
【図２】
2005197841.tif 000004
【図３】
2005197841.tif 000005
【図４】
2005197841.tif 000006
【図５】
2005197841.tif 000007
【図６】
2005197841.tif 000008